(57)【要約】【課題】長年にわたり、ほこり、砂、泥等が堆積して堰き止められた場合や、風雨が強かったり、雨量が多い場合であっても、雨水が野地板側に浸入することを防止できる水切り部材を提供すること。【解決手段】野地板１０と平板瓦２０との間に配置され、先端部を外方側に折り返して形成された弾性折返部を有する水平支持部６１と、水平支持部６１の外方側端部から上方に延設された鉛直支持部６２とを有する水切りシート６０と、水切りシート６０と平面瓦２０との間に、弾性折返部６１ａを露出させた状態で重ねて配置され、平板瓦２０の下面を支持するとともに内方側の先端に折返部５１ａが形成された水平支持部５１と、水平支持部５１の外方側から鉛直方向に設けられ、平板瓦２０の側端面に対向配置された鉛直部５４とを有する水切り板５０とを備えている。【選択図】図１
2011163094.tif 000002
【特許請求の範囲】
【請求項１】
野地板の側端部に設けられ、上記野地板上に配置される屋根材から滴下する雨水を上記野地板の軒先側に案内する水切り部材において、
上記野地板と上記屋根材との間に配置され、先端部を外方側に折り返して形成された弾性折返部を有する平面部と、この平面部の外方側端部から上方に延設された鉛直部とを有する樹脂材製の水切りシートと、
この水切りシートと上記屋根材との間に、上記弾性折返部を露出させた状態で重ねて配置され、上記屋根材の下面を支持するとともに内方側の先端に折返部が形成された支持部と、この支持部の外方側から鉛直方向に設けられ、上記屋根材の側端面に対向配置された面支持部とを有する金属材製の水切り板とを備えていることを特徴とする水切り部材。
【請求項２】
上記水切りシートの上記平面部の上記弾性折返部側に設けられたシーラー部材とをさらに備えていることを特徴とする請求項１に記載の水切り部材。
【請求項３】
野地板の側端部に設けられ、上記野地板上に配置される屋根材から滴下する雨水を上記野地板の軒先側に案内する水切り部材において、
上記野地板と上記屋根材との間に配置され、上記屋根材の下面を支持するとともに内方側の先端に折返部が形成された支持部と、この支持部の外方側から鉛直方向に設けられ、上記屋根材の側端面に対向配置された面支持部とを有する金属材製の水切り板と、
上記支持部に設けられたシーラー部材とを備えていることを特徴とする水切り部材。
【請求項４】
谷部状の野地板上に設けられ、上記野地板上に配置される屋根材から滴下する雨水を谷部側に案内する水切り部材において、
上記野地板の谷部を含む領域に配置され、上記谷部を挟んで位置する最上端部を上記谷部側に折り返して形成された折返部を有する樹脂材製の水切りシートと、
この水切りシートの上側に上記折返部を露出させた状態で重ねて配置された金属材製の水切り板とを備えていることを特徴とする水切り部材。
【発明の詳細な説明】
【技術分野】
【０００１】
本発明は、野地板の側端部に設けられた水切り部材に関し、特に屋根材上の雨水が野地板に滴下することを確実に防止できる技術に関する。
【背景技術】
【０００２】
野地板上に平面瓦等の屋根材を設置する場合、瓦の端部側から野地板に雨水が滴下することを防ぐため、水切り部材が設置され、この水切り部材で受けた雨水を軒先から排出するようにしている。
【０００３】
図１５は、このような水切り部材が組み込まれた屋根構造の一例を図１６中Ｚ２−Ｚ２線の位置で切断して矢印方向に見た断面図、図１６は、同屋根構造の要部を図１５中Ｚ１−Ｚ１線の位置で切断して矢印方向に見た断面図である。
【０００４】
図１５中１００は野地板、１１０は平面瓦、１２０は金属材製の水切り部材、１３０は防水紙を示している。
【０００５】
水切り部材１２０は、板材を折曲して形成され、平面瓦１１０の下面側を支持する水平支持部１２１と、この水平支持部１２１から鉛直方向上側に延設され、平面瓦１１０の側端部と対向配置される鉛直支持部１２２と、この鉛直支持部１２２から水平方向外側に延設された水平部材１２３と、この水平部材１２３の外側端部から鉛直方向下側に延設された鉛直部１２４とを備えている。なお、水平支持部１２１の先端部には折返部１２１ａ、中央部には突条部１２１ｂが形成されている。
【０００６】
図１７は水切り部材が組み込まれた屋根構造の一例を図１８中Ｚ４−Ｚ４線の位置で切断して矢印方向に見た断面図、図１８は同屋根構造の要部を図１７中Ｚ３−Ｚ３線の位置で切断して矢印方向に見た断面図である。なお、図１７，１８において、図１５，１６と同一機能部分には同一符号を付している。
【０００７】
図１７中１４０は、金属材製の水切り部材を示している。水切り部材１４０は、板材を折曲して形成され、平面瓦１１０の下面側を支持する水平支持部１４１と、この水平支持部１４１から鉛直方向上側に延設され、平面瓦１１０の側端部と対向配置される鉛直支持部１４２と、この鉛直支持部１４２から水平方向外側に延設された水平部材１４３と、この水平部材１４３の外側端部から鉛直方向上方に延設された鉛直部１４４とを備えている。なお、水平支持部１４１の先端部には折返部１４１ａ、中央部には突条部１４１ｂが形成されている。
【０００８】
図１９は、水切り部材が組み込まれた屋根構造の一例を示す平面図である。図１９中２００は谷部状に配置された野地板、２１０は平面瓦、２２０は金属材製の水切り板、２３０は防水紙を示している。
【０００９】
水切り板２２０は、野地板２００の谷部を含む領域に配置されており、その上端部２２１には、平面瓦２１０の下端部が積層されて配置されている。なお、図１９中２４０は水切り板２２０を野地板２００に固定する固定部材を示している。
【００１０】
なお、屋根構造における防水構造としては、各種の部材が知られている（例えば、特許文献１〜４参照）。
【先行技術文献】
【特許文献】
【００１１】
【特許文献１】実開平５−６６１２２号公報
【特許文献２】実開平５−６６１２３号公報
【特許文献３】実開平６−７１６５８号公報
【特許文献４】実開平３−２８２２１号公報
【発明の概要】
【発明が解決しようとする課題】
【００１２】
上述した水切り板では、次のような問題があった。すなわち、長年にわたり、ほこり、砂、泥等が水切り部材と平面瓦の間に入り込み、水切り部材と平面瓦の間の水を流す空間を堰き止めてしまう。このため、平面瓦等の屋根材から滴下した雨水を軒先に流すことができなくなり、雨水の量が多くて折返部から溢れ出したり、風圧によって雨水が折返部を乗り越えると、雨水が野地板側に浸入する。野地板に浸入した雨水は、平面瓦と野地材とが密着しているため、行き場が無く、水溜りの状態となる。平面瓦を固定するための釘があり、その釘を伝わって防水紙を通して野地板に水が伝わる。これにより、野地板が腐る虞があった。
【００１３】
そこで本発明は、ほこり、砂、泥等がたまった場合でも、風雨が強かったり、雨量が多い場合であっても、雨水が野地板側に浸入することを防止できる水切り部材を提供することを目的としている。
【課題を解決するための手段】
【００１４】
前記課題を解決し目的を達成するために、本発明の水切り部材は次のように構成されている。
【００１５】
（１）野地板の側端部に設けられ、上記野地板上に配置される屋根材から滴下する雨水を上記野地板の軒先側に案内する水切り部材において、上記野地板と上記屋根材との間に配置され、先端部を外方側に折り返して形成された弾性折返部を有する平面部と、この平面部の外方側端部から上方に延設された鉛直部とを有する樹脂材製の水切りシートと、この水切りシートと上記屋根材との間に、上記弾性折返部を露出させた状態で重ねて配置され、上記屋根材の下面を支持するとともに内方側の先端に折返部が形成された支持部と、この支持部の外方側から鉛直方向に設けられ、上記屋根材の側端面に対向配置された面支持部とを有する金属材製の水切り板とを備えていることを特徴とする。
【００１６】
（２）野地板の側端部に設けられ、上記野地板上に配置される屋根材から滴下する雨水を上記野地板の軒先側に案内する水切り部材において、上記野地板と上記屋根材との間に配置され、上記屋根材の下面を支持するとともに内方側の先端に折返部が形成された支持部と、この支持部の外方側から鉛直方向に設けられ、上記屋根材の側端面に対向配置された面支持部とを有する金属材製の水切り板と、上記支持部に設けられたシーラー部材とを備えていることを特徴とする。
【００１７】
（３）谷部状の野地板上に設けられ、上記野地板上に配置される屋根材から滴下する雨水を谷部側に案内する水切り部材において、上記野地板の谷部を含む領域に配置され、上記谷部を挟んで位置する最上端部を上記谷部側に折り返して形成された折返部を有する樹脂材製の水切りシートと、この水切りシートの上側に上記折返部を露出させた状態で重ねて配置された金属材製の水切り板とを備えていることを特徴とする。
【発明の効果】
【００１８】
本発明によれば、ほこり、砂、泥等がたまった場合でも、風雨が強かったり、雨量が多い場合であっても、雨水が野地板側に浸入することを防止できる。
【図面の簡単な説明】
【００１９】
【図１】本発明の第１の実施の形態に係る水切り部材が組み込まれた屋根構造の要部を図２中Ａ２−Ａ２線の位置で切断して矢印方向に見た断面図。
【図２】同屋根構造の要部を図１中Ａ１−Ａ１線の位置で切断して矢印方向に見た断面図。
【図３】本発明の第２の実施の形態に係る水切り部材が組み込まれた屋根構造の要部を図４中Ｂ２−Ｂ２線の位置で切断して矢印方向に見た断面図。
【図４】同屋根構造の要部を図３中Ｂ１−Ｂ１線の位置で切断して矢印方向に見た断面図。
【図５】本発明の第３の実施の形態に係る水切り部材が組み込まれた屋根構造の要部を図６中Ｃ２−Ｃ２線の位置で切断して矢印方向に見た断面図。
【図６】同屋根構造の要部を図５中Ｃ１−Ｃ１線の位置で切断して矢印方向に見た断面図。
【図７】本発明の第４の実施の形態に係る水切り部材が組み込まれた屋根構造の要部を図８中Ｄ２−Ｄ２線の位置で切断して矢印方向に見た断面図。
【図８】同屋根構造の要部を図７中Ｄ１−Ｄ１線の位置で切断して矢印方向に見た断面図。
【図９】本発明の第５の実施の形態に係る水切り部材が組み込まれた屋根構造の要部を図１０中Ｅ２−Ｅ２線の位置で切断して矢印方向に見た断面図。
【図１０】同屋根構造の要部を図９中Ｅ１−Ｅ１線の位置で切断して矢印方向に見た断面図。
【図１１】本発明の第６の実施の形態に係る水切り部材が組み込まれた屋根構造の要部を図１２中Ｆ２−Ｆ２線の位置で切断して矢印方向に見た断面図。
【図１２】同屋根構造の要部を図１１中Ｆ１−Ｆ１線の位置で切断して矢印方向に見た断面図。
【図１３】本発明の第７の実施の形態に係る水切り部材が組み込まれた屋根構造の要部を図１４中Ｇ２−Ｇ２線の位置で切断して矢印方向に見た断面図。
【図１４】同屋根構造の要部を示す平面図。
【図１５】水切り部材が組み込まれた屋根構造の一例を図１６中Ｚ２−Ｚ２線の位置で切断して矢印方向に見た断面図。
【図１６】同屋根構造の要部を図１５中Ｚ１−Ｚ１線の位置で切断して矢印方向に見た断面図。
【図１７】水切り部材が組み込まれた屋根構造の一例を図１８中Ｚ４−Ｚ４線の位置で切断して矢印方向に見た断面図。
【図１８】同屋根構造の要部を図１７中Ｚ１−Ｚ１線の位置で切断して矢印方向に見た断面図。
【図１９】水切り部材が組み込まれた屋根構造の一例を示す平面図。
【発明を実施するための形態】
【００２０】
図１は、本発明の第１の実施の形態に係る水切り部材４０が組み込まれた屋根構造の要部を図２中Ａ２−Ａ２線の位置で切断して矢印方向に見た断面図、図２は、同屋根構造の要部を図１中Ａ１−Ａ１線の位置で切断して矢印方向に見た断面図である。
【００２１】
図１中１０は野地板、２０は平面瓦、３０は防水紙、４０は水切り部材を示している。
【００２２】
水切り部材４０は、金属板製の水切り板５０と、柔軟性のある樹脂材製の水切りシート６０とを備えている。
【００２３】
水切り板５０は、板材を折曲して形成され、平面瓦２０の下面側を支持する水平支持部５１と、この水平支持部５１から鉛直方向上側に延設され、平面瓦２０の側端部と対向配置される鉛直支持部５２と、この鉛直支持部５２から水平方向外側に延設された水平部材５３と、この水平部材５３の外側端部から鉛直方向下側に延設された鉛直部５４とを備えている。なお、水平支持部５１の先端部には折返部５１ａ、中央部には突条部５１ｂが形成されている。
【００２４】
水切りシート６０は、シート状の樹脂材を細長形状に切断して形成され、平面瓦２０の下面側を支持する水平支持部（平面部）６１と、この水平支持部６１から鉛直方向上側に延設され、平面瓦２０の側端部と対向配置される鉛直支持部（鉛直部）６２とを備えている。なお、水平支持部６１の先端部には弾性折返部６１ａが形成されている。
【００２５】
このような屋根構造では、野地板１０上には、防水紙３０が敷かれ、その上に平面瓦２０が葺かれる。このとき、野地板１０の側端側には水切り部材４０が配設され、側端側に位置する平面瓦２０がその上に載置される。
【００２６】
水切り部材４０では、平面瓦２０が載せられると、その側端部側の下面２０ａは水切り板５０の突条部５１ｂ上に載置されるとともに、内方側の下面２０ａは、水切りシート６０の弾性折返部６１ａが湾曲して当接する。
【００２７】
このように構成された屋根構造では、降雨があると、平面瓦２０上の雨水の大部分は、その上面を伝わって下方に隣接する平面瓦２０上に落ちて、最終的には軒先側に案内される。一方、雨水の一部は側方に伝わり、水切り部材４０の鉛直支持部５２で受け、水平支持部５１に滴下する。水平支持部５１に滴下した雨水は、そのまま水平支持部５１に案内されて、軒先側へ案内されて排出される。
【００２８】
また、長年にわたり、ほこり、砂、泥等が水平支持部５１に堆積して雨水を堰き止めるようになったり、降水量が多かったり、強風時等に、多量の雨水が水切り部材４０側に流れ込むと、水平支持部５１に雨水が溜まり、折返部５１ａを超える場合がある。このとき、水切りシート６０で水滴は受け止められ、軒先側に案内されて排出される。
【００２９】
このようにして、水切り板５０で案内仕切れなかった水滴は、水切りシート６０によって、外部に排出される。したがって、野地板１０上には滴下することなく、野地板１０が腐ることを防止できる。
【００３０】
図３は、本発明の第２の実施の形態に係る水切り部材４０Ａが組み込まれた屋根構造の要部を図４中Ｂ２−Ｂ２線の位置で切断して矢印方向に見た断面図、図４は、同屋根構造の要部を図３中Ｂ１−Ｂ１線の位置で切断して矢印方向に見た断面図である。なお、これらの図において、図１，２と同一機能部分には同一符号を付し、その詳細な説明は省略する。
【００３１】
本実施の形態においては、上述した水切り部材４０の代わりに水切り部材４０Ａが用いられている。水切り部材４０Ａは、水切りシート６０の水平支持部６１の弾性折返部６１ａ側に設けられたシーラ部材６３とをさらに備えている。このシーラ部材６３は、平面瓦２０の下面に当接する。シーラ部材６３は、弾性折返部６１とは異なり、押圧された部分のみが凹むため、図６に示すように、弾性折返部６１と平面瓦２０との間に生じる隙間を埋めることができる。
【００３２】
このため、水切り部材４０Ａは、上述した水切り部材４０と同様の効果が得られるとともに、さらに防水性を向上させることができる。
【００３３】
図５は、本発明の第３の実施の形態に係る水切り部材４０Ｂが組み込まれた屋根構造の要部を図６中Ｃ２−Ｃ２線の位置で切断して矢印方向に見た断面図、図６は、同屋根構造の要部を図５中Ｃ１−Ｃ１線の位置で切断して矢印方向に見た断面図である。なお、これらの図において、図１，２と同一機能部分には同一符号を付し、その詳細な説明は省略する。
【００３４】
本実施の形態においては、上述した水切り部材４０の代わりに水切り部材４０Ｂが用いられている。水切り部材４０Ｂは、水切りシート６０が無く、その代わり、水切り板５０の折返部５１ａにシーラ部材５５が設けられている。シーラ部材５５は、平面瓦２０に押圧された部分のみが凹み、図６に示すように、平面瓦２０と水切り板５０との隙間を埋めることができる。
【００３５】
このため、水切り部材４０Ｂは、水平支持部５１に、泥等が堆積して滴下した雨水が堰き止められたとしても、折返部５１ａを乗り越えることはない。したがって、野地板１０上には滴下することなく、野地板１０が腐ることを防止できる。上述した水切り部材４０と同様の効果が得られる。
【００３６】
図７は、本発明の第４の実施の形態に係る水切り部材７０が組み込まれた屋根構造の要部を図８中Ｄ２−Ｄ２線の位置で切断して矢印方向に見た断面図、図８は、同屋根構造の要部を図７中Ｄ１−Ｄ１線の位置で切断して矢印方向に見た断面図である。なお、これらの図において、図１，２と同一機能部分には同一符号を付し、その詳細な説明は省略する。
【００３７】
水切り部材７０は、金属板製の水切り板８０と、柔軟性のある樹脂材製の水切りシート９０とを備えている。水切り板８０は、板材を折曲して形成され、平面瓦２０の下面側を支持する水平支持部８１と、この水平支持部８１から鉛直方向上側に延設され、平面瓦２０の側端部と対向配置される鉛直支持部８２と、この鉛直支持部８２から水平方向外側に延設された水平部材８３と、この水平部材８３の外側端部から鉛直方向上方に延設された鉛直部８４とを備えている。なお、水平支持部８１の先端部には折返部８１ａ、中央部には突条部８１ｂが形成されている。
【００３８】
水切りシート９０は、シート状の樹脂材を細長形状に切断して形成され、平面瓦２０の下面側を支持する水平支持部（平面部）９１と、この水平支持部９１から鉛直方向上側に延設され、平面瓦２０の側端部と対向配置される鉛直支持部（鉛直部）９２とを備えている。なお、水平支持部９１の先端部には弾性折返部９１ａが形成されている。
【００３９】
このように構成された屋根構造では、降雨があると、平面瓦２０上の雨水の大部分は、その上面を伝わって下方に隣接する平面瓦２０上に落ちて、最終的には軒先側に案内される。一方、雨水の一部は側方に伝わり、水切り部材７０の鉛直支持部８２で受け、水平支持部８１に滴下する。水平支持部８１に滴下した雨水は、そのまま水平支持部８１に案内されて、軒先側へ案内されて排出される。
【００４０】
また、降水量が多かったり、強風時等に、多量の雨水が水切り部材７０側に流れ込むと、水平支持部８１に雨水が溜まり、折返部８１ａを超える場合がある。このとき、水切りシート９０で水滴は受け止められ、軒先側に案内されて排出される。
【００４１】
このようにして、水切り板８０で案内仕切れなかった水滴は、水切りシート９０によって、外部に排出される。したがって、野地板１０上には滴下することなく、野地板１０が腐ることを防止できる。
【００４２】
図９は、本発明の第５の実施の形態に係る水切り部材７０Ａが組み込まれた屋根構造の要部を図１０中Ｅ２−Ｅ２線の位置で切断して矢印方向に見た断面図、図１０は、同屋根構造の要部を図９中Ｅ１−Ｅ１線の位置で切断して矢印方向に見た断面図である。なお、これらの図において、図７，８と同一機能部分には同一符号を付し、その詳細な説明は省略する。
【００４３】
本実施の形態においては、上述した水切り部材７０の代わりに水切り部材７０Ａが用いられている。水切り部材７０Ａは、水切りシート９０の水平支持部９１の弾性折返部９１ａ側に設けられたシーラ部材９３とをさらに備えている。このシーラ部材９３は、平面瓦２０の下面に当接する。シーラ部材９３は、弾性折返部９１とは異なり、押圧された部分のみが凹むため、図１０に示すように、弾性折返部９１と平面瓦２０との間に生じる隙間を埋めることができる。
【００４４】
このため、水切り部材７０Ａは、上述した水切り部材７０と同様の効果が得られるとともに、さらに防水性を向上させることができる。
【００４５】
図１１は、本発明の第６の実施の形態に係る水切り部材７０Ｂが組み込まれた屋根構造の要部を図１２中Ｆ２−Ｆ２線の位置で切断して矢印方向に見た断面図、図１２は、同屋根構造の要部を図１１中Ｆ１−Ｆ１線の位置で切断して矢印方向に見た断面図である。なお、これらの図において、図７，８と同一機能部分には同一符号を付し、その詳細な説明は省略する。
【００４６】
本実施の形態においては、上述した水切り部材７０の代わりに水切り部材７０Ｂが用いられている。水切り部材７０Ｂは、水切りシート９０が無く、その代わり、水切り板８０の折返部８１ａにシーラ部材８５が設けられている。シーラ部材８５は、平面瓦２０に押圧された部分のみが凹み、図１２に示すように、平面瓦２０と水切り板８０との隙間を埋めることができる。
【００４７】
このため、水切り部材７０Ｂは、水平支持部８１に滴下した雨水は、折返部８１ａを乗り越えることなく、そのまま水平支持部８１に案内されて、軒先側へ案内されて排出される。したがって、野地板１０上には滴下することなく、野地板１０が腐ることを防止できる。上述した水切り部材７０と同様の効果が得られる。
【００４８】
図１３は、本発明の第７の実施の形態に係る水切り部材３３０が組み込まれた屋根構造の要部を図１４中Ｇ２−Ｇ２線の位置で切断して矢印方向に見た断面図、図１４は、同屋根構造の要部を示す平面図である。なお、これらの図において、図１，２と同一機能部分には同一符号を付し、その詳細な説明は省略する。
【００４９】
図１３中３００は谷部状に配置された野地板、３１０は平面瓦、３２０は防水紙、３３０は水切り部材を示している。水切り部材３３０は、金属板製の水切り板３４０と、柔軟性のある樹脂材製の水切りシート３５０とを備えている。
【００５０】
水切りシート３５０は、野地板１０の谷部を含む領域に配置され、谷部を挟んで位置する最上端部を谷部側に折り返して形成された弾性折返部３５１を備えている。
【００５１】
水切り板３４０は、この水切りシート３５０の上側に弾性折返部３５１を露出させた状態で重ねて配置されている。水切り板３４０の上端部３４１には、平面瓦３１０の下端部が積層されて配置されている。なお、図１３中３６０は水切り板３４０を野地板１０に固定する固定部材を示している。
【００５２】
このように構成された屋根構造では、降雨があると、平面瓦３１０上の雨水は、その上面を伝わって下方に隣接する平面瓦３１０上に落ちて、最終的には水切り板３４０上に案内される。水切り板３４０に滴下した雨水は、そのまま軒先側へ案内されて排出される。
【００５３】
また、降水量が多かったり、強風時等に、多量の雨水が水切り板３４０に流れ込むと、雨水が溢れて折返部３４１を超える場合がある。このとき、水切りシート３５０で水滴は受け止められ、軒先側に案内されて排出される。
【００５４】
このようにして、水切り板３４０で案内仕切れなかった水滴は、水切りシート３５０によって、外部に排出される。したがって、野地板３００上には滴下することなく、野地板３００が腐ることを防止できる。
【００５５】
なお、本発明は前記実施の形態に限定されるものではなく、本発明の要旨を逸脱しない範囲で種々変形実施可能であるのは勿論である。
【産業上の利用可能性】
【００５６】
ほこり、砂、泥等がたまった場合でも、風雨が強かったり、雨量が多い場合であっても、雨水が野地板側に浸入することを防止できる水切り部材が得られる。
【符号の説明】
【００５７】
１０…野地板、２０…平面瓦、３０…防水紙、４０，４０Ａ，４０Ｂ，７０，７０Ａ，７０Ｂ…水切り部材、５０，８０…水切り板、５１，８１…水平支持部、５１ａ，８１ａ…折返部、５１ｂ，８１ｂ…突条部、５２，８２…鉛直支持部、５３，８３…水平部材、５４，８４…鉛直部、６０，９０…水切りシート、６１，９１…水平支持部（平面部）、６１ａ，９１ａ…弾性折返部、６２，９２…鉛直支持部（鉛直部）、３００…は谷部状に配置された野地板、３１０…平面瓦、３２０…防水紙、３３０…水切り部材、３４０…水切り板、３４１…上端部、３５０…水切りシート、３５１…弾性折返部、３６０…固定部材。
【図１】
2011163094.tif 000003
【図２】
2011163094.tif 000004
【図３】
2011163094.tif 000005
【図４】
2011163094.tif 000006
【図５】
2011163094.tif 000007
【図６】
2011163094.tif 000008
【図７】
2011163094.tif 000009
【図８】
2011163094.tif 000010
【図９】
2011163094.tif 000011
【図１０】
2011163094.tif 000012
【図１１】
2011163094.tif 000013
【図１２】
2011163094.tif 000014
【図１３】
2011163094.tif 000015
【図１４】
2011163094.tif 000016
【図１５】
2011163094.tif 000017
【図１６】
2011163094.tif 000018
【図１７】
2011163094.tif 000019
【図１８】
2011163094.tif 000020
【図１９】
2011163094.tif 000021